(57)【要約】【課題】映像再生装置による再生映像のブックマーク再生時に、映像画面として拡大映像で再生再開できるようにする。【解決手段】映像再生装置３０は、操作部３１、映像制御手段３２および表示部３３を有する。映像制御手段３２は、映像制御装置３４，記憶装置３５および映像表示制御装置３６を備える。映像表示制御装置３６は、操作部３１の操作に伴い映像データａ１を任意倍率で拡大させる。ブックマーク保存が指示された場合には、拡大した映像に対応するブックマーク情報（再生時刻、拡大位置、拡大率）をブックマーク保存する。その後、再生開始が指示された場合には、当該ブックマーク情報を用いて拡大した映像をブックマーク再生させる。【選択図】図１
2009290338.tif 000002
【特許請求の範囲】
【請求項１】
映像表示装置の画面に、再生映像を表示するとともに、拡大位置を示すアイコンを表示するステップと、
ユーザ操作手段からの拡大指示に基づいて、前記拡大位置において前記再生映像を拡大するステップと、
前記拡大された再生映像を再生中に前記ユーザ操作手段からブックマーク要求があった場合には、前記再生映像の再生時刻とともに拡大位置および拡大倍率を、ブックマーク情報として記憶装置へ保存するステップと、
前記ユーザ操作手段から、ブックマーク再生要求があった場合には、前記記憶部へ保存したブックマーク情報を用いて、前記再生映像の再生時刻または所要の再生時刻前の時刻から前記再生映像を拡大した映像を再生開始するステップと、を具備することを特徴とする映像再生方法。
【請求項２】
複数エリアに区分されたデフォルト画面を前記映像表示装置の画面に重ねて表示するステップと、
前記ユーザ操作手段からアイコンの移動指示に対応して、選択されたエリアに対応する位置に前期再生映像の中心位置をシフトさせるステップと、を更に有することを特徴とする請求項１記載の映像再生方法。
【請求項３】
操作部、映像制御手段および表示部を有する映像再生装置であって、
前記映像制御手段は、映像制御装置，記憶装置および映像表示制御装置を備え、
前記映像表示制御装置は、前記操作部の操作に伴い映像データを前記表示部に送信する機能を有する一方、前記表示部に表示される前記映像データのデフォルト画面を複数個のエリア区分にして表示させるデータ送出機能と、
エリア単位の任意の位置にアイコンを移動させる信号送出機能と、
前記移動されたアイコン位置を拡大中心として、前記デフォルト画面を拡大させる信号送出機能と、
前記信号送出機能により拡大した映像の再生時刻とともに拡大位置および拡大倍率をブックマーク保存する機能と、
前記ブックマーク保存した映像をブックマーク再生させる信号送出機能と、を具備したことを特徴とする映像再生装置。
【請求項４】
操作部、映像制御手段および表示部を有する映像再生装置であって、
前記映像制御手段は、映像制御装置，記憶装置および映像表示制御装置を備え、
前記映像表示制御装置は、前記操作部の操作に伴い映像データを前記表示部に送信する機能を有する一方、前記表示部に表示される前記映像データのデフォルト画面を複数個のエリア区分にして表示させるデータ送出機能と、
エリア単位の任意の位置にアイコンを移動させる信号送出機能と、
前記アイコンの移動に伴い、当該アイコンの移動方向と逆方向に画面をスクロールさせる信号送出機能と、
前記スクロールされた画面を含むデフォルト画面を拡大させる信号送出機能と、
前記信号送出機能により拡大した映像の再生時刻とともに拡大位置および拡大倍率をブックマーク保存する機能と、
前記ブックマーク保存した映像をブックマーク再生させる信号送出機能と、を具備したことを特徴とする映像再生装置。
【請求項５】
操作部、映像制御手段および表示部を有する映像再生装置であって、
前記映像制御手段は、映像制御装置，記憶装置および映像表示制御装置を備え、
前記映像制御装置は、前記操作部から映像再生入力により映像データおよびブックマーク情報データを入出力する入力制御部および再生制御部を備え、
前記記憶装置は、前記映像制御装置から出力される映像再生入力により映像データを前記表示部へ出力する映像データ保存部，前記ブックマーク情報データを保存するブックマーク情報データ記憶部および前記ブックマーク情報データをブックマーク処理するメニュープログラムを備え、
前記映像表示制御装置は、ブックマーク再生にあたり、前記記憶装置から出力される映像データ，ブックマーク情報データおよびメニュープログラムを呼び込み、ブックマーク処理された映像が再生されるようにしたことを特徴とする映像再生装置。
【請求項６】
前記記憶装置に保存されるメニュープログラムは、ブックマーク情報データを、ブックマークされた時点の映像の状態に再現すべくブックマーク処理がなされるように、ブックマーク処理の要求に応じて映像表示制御装置側に出力されるプログラムであることを特徴とする請求項５記載の映像再生装置。
【請求項７】
前記映像表示制御装置は、前記記憶装置から入力した映像データおよびブックマーク情報データに基づいて、前記表示部に表示されるデフォルト画面を複数個のエリアに区分するとともに前記複数のエリアの任意の位置にアイコンを移動させて表示部に表示させる機能を有するＧＵＩ制御部と、
前記アイコンの移動方向と逆方向に画面をスクロールさせた映像を、前記アイコン位置を映像の拡大中心位置として任意倍率で拡大して表示部へブックマーク映像を出力する機能を有する拡大制御部を備えたことを特徴とする請求項３乃至請求項５のいずれかに記載の映像再生装置。
【請求項８】
前記操作部は、複数の操作ボタンを有するリモコン操作体であることを特徴とする請求項３乃至請求項５のいずれかに記載の映像再生装置。
【請求項９】
前記映像表示制御装置は、ブックマーク再生時に、表示部に対してブックマーク情報データをリスト化したブックマーク情報が表示できるようにブックマーク情報データを出力するようにしたことを特徴とする請求項３乃至請求項５のいずれかに記載の映像再生装置。
【請求項１０】
前記表示制御手段は、ＧＵＩ制御部から出力されるアイコン制御信号に基づき制御されるアイコン位置が、格子交点になるように制御されることを特徴とする請求項４記載の映像再生装置。
【発明の詳細な説明】
【技術分野】
【０００１】
本発明は、ブックマークを用いた映像の保存および映像の再生再開可能な映像再生方法および映像再生装置に関する。
【背景技術】
【０００２】
一般の映像再生装置としては、ユーザが使用する映像媒体を映像再生装置を用いて映像再生している途中で所用などで停止した後に、所要日あるいは所要時間が経ってから再び再生を開始したい場合がある。
【０００３】
そして、再生を再開する場合に、先の停止したところから始められるような機能を備えた映像再生装置が実現している。
【０００４】
映像媒体としては、例えばＣＤやＤＶＤといったディスクタイプのものが主流になっており、再生装置としては、ディスク再生装置が主流になっている。
【０００５】
ディスク再生装置を例にとれば、ディスク再生中にマーカキーを操作することにより、その時点で再生されていたディスクのアドレスがブックマークとして登録され、再生時には、選択されたマーカＮｏに対応するアドレスから、ディスクの再生を開始することができるものである。
【０００６】
この従来のこの種の映像再生装置のブックマーク機能を有する映像再生装置を、図１２および図１３（特許文献１）を参照して説明する。
【０００７】
図１２は、従来の映像再生装置の実施形態を示すブロック図で、図１３は、図１２に示すＴＶモニタの画面例を示している。
【０００８】
図１２に示す、映像再生装置１は、ＭＰＵ（Ｍｉｃｒｏ Ｐｒｏｃｅｓｓｉｎｇ Ｕｎｉｔ）部２、ＭＰＥＧ（Ｍｏｖｉｎｇ Ｐｉｃｔｕｒｅ Ｅｘｐｅｒｔｓ Ｇｒｏｕｐ）デコーダ部（ビデオデコーダ部）３、ＤＶＤディスク１０から情報読取りを行なうディスクドライブ部５、システムプロセッサ部６、ワークメモリ部７、映像デコーダ（ＳＰ（Ｓｕｂ Ｐｉｃｔｕｒｅ）デコーダ）部８、ビデオメモリ部１１、ユーザ操作の入力デバイスである操作キーパネル（またはリモートコントローラ）１２、ビデオプロセッサ部１３、内部バス１４等で構成されている。
【０００９】
操作キーパネル１２には、一般的なＤＶＤプレーヤの操作のためのキーに加えて、マーカの設定に使用されるマーカキー１２Ａ、決定キー１２Ｂ、および、１〜０までの１０個の各数字を入力するためのキー１２Ｃが含まれる。
【００１０】
また、映像再生装置１では、ディスクの再生中に所定の操作を行なうと、画面にマーカが表示され、そして、表示されたマーカをその時点での再生位置を関連付ける。そして、映像再生装置１では、マーカの設定が行なわれた後、マーカが選択されると、当該マーカに対応する再生位置からのディスクの再生が行なわれる。
【００１１】
映像再生装置１は、ディスク１０の再生中にマーカキー１２Ａを操作されることにより、その時点で再生されていたディスク１０のアドレスがブックマークとして登録される。
【００１２】
一方、映像再生装置１には、図１３に示すように、ＴＶ（ＴｅｌｅＶｉｓｉｏｎ）モニタ２０が接続される。そして、ディスク１０が再生されていないときにマーカキー１２Ａが操作されると、モニタ２０内のサムネイル表示部２１に、サムネイル画像２１ａ〜２１ｆとして表示される。そして、ユーザが、マーカＮｏ．表示部２２内でサムネイル画像に対応するマーカＮｏ．を選択すると、図１２に示す映像再生装置としてのＤＶＤプレーヤ１は、選択されたマーカＮｏ．に対応するブックマーク（アドレス）から、ディスク１０の再生を開始する。
【００１３】
このように、従来のブックマーク機能を有する映像再生装置によれば、再生画面上にサムネイル画像２１を表示し、このいずれかの画像を選択してディスクの再生ができるようにしたものである。
【００１４】
これにより、ユーザは、所望のタイミングで、希望するブックマーク（再生位置）を登録することができる。さらに、ユーザは、ブックマークがどのような位置であったかを、サムネイル画像２１を見ることにより容易に理解できるというものであった。
【特許文献１】特開２００４−２８０９４０号公報
【発明の開示】
【発明が解決しようとする課題】
【００１５】
しかしながら、従来の映像再生装置でブックマーク機能を持つ映像再生装置には、映像拡大などのズーミング映像が得られる機能を備えたものも出現しているが、ブックマーク機能はこれまで通りであって、ブックマーク保存しても、ブックマーク再生時には通常映像（デフォルト映像）しか再生することができなかった。
【００１６】
本発明は、以上の点に鑑みてなされたもので、映像再生装置による再生映像のブックマーク再生時に、ブックマーク保存時と同じ状態、すなわち拡大表示の状態から再生可能とすることにより、ユーザに対して一層便利ならしめる映像再生方法および映像再生装置を提供することを目的とする。
【課題を解決するための手段】
【００１７】
上記目的を達成するために、本発明によれば、映像表示装置の画面に、再生映像を表示するとともに、拡大位置を示すアイコンを表示するステップと、ユーザ操作手段からの拡大指示に基づいて、前記拡大位置において前記再生映像を拡大するステップと、前記拡大された再生映像を再生中に前記ユーザ操作手段からブックマーク要求があった場合には、前記再生映像の再生時刻とともに拡大位置および拡大倍率を、ブックマーク情報として記憶装置へ保存するステップと、前記ユーザ操作手段から、ブックマーク再生要求があった場合には、前記記憶部へ保存したブックマーク情報を用いて、前記再生映像の再生時刻または所要の再生時刻前の時刻から前記再生映像を拡大した映像を再生開始するステップと、を具備することを特徴とする映像再生方法を提供する。
【００１８】
上記目的を達成するために、本発明によれば、操作部、映像制御手段および表示部を有する映像再生装置であって、前記映像制御手段は、映像制御装置，記憶装置および映像表示制御装置を備え、前記映像表示制御装置は、前記操作部の操作に伴い映像データを前記表示部に送信する機能を有する一方、前記表示部に表示される前記映像データのデフォルト画面を複数個のエリア区分にして表示させるデータ送出機能と、エリア単位の任意の位置にアイコンを移動させる信号送出機能と、前記移動されたアイコン位置を拡大中心として、前記デフォルト画面を拡大させる信号送出機能と、前記信号送出機能により拡大した映像の再生時刻とともに拡大位置および拡大倍率をブックマーク保存する機能と、前記ブックマーク保存した映像をブックマーク再生させる信号送出機能と、を具備したことを特徴とする映像再生装置を提供する。
【００１９】
上記目的を達成するために、本発明によれば、操作部、映像制御手段および表示部を有する映像再生装置であって、前記映像制御手段は、映像制御装置，記憶装置および映像表示制御装置を備え、前記映像表示制御装置は、前記操作部の操作に伴い映像データを前記表示部に送信する機能を有する一方、前記表示部に表示される前記映像データのデフォルト画面を複数個のエリア区分にして表示させるデータ送出機能と、エリア単位の任意の位置にアイコンを移動させる信号送出機能と、前記アイコンの移動に伴い、当該アイコンの移動方向と逆方向に画面をスクロールさせる信号送出機能と、前記スクロールされた画面を含むデフォルト画面を拡大させる信号送出機能と、前記信号送出機能により拡大した映像の再生時刻とともに拡大位置および拡大倍率をブックマーク保存する機能と、前記ブックマーク保存した映像をブックマーク再生させる信号送出機能と、を具備したことを特徴とする映像再生装置を提供する。
【００２０】
上記目的を達成するために、本発明によれば、操作部、映像制御手段および表示部を有する映像再生装置であって、前記映像制御手段は、映像制御装置，記憶装置および映像表示制御装置を備え、前記映像制御装置は、前記操作部から映像再生入力により映像データおよびブックマーク情報データを入出力する入力制御部および再生制御部を備え、前記記憶装置は、前記映像制御装置から出力される映像再生入力により映像データを前記表示部へ出力する映像データ保存部，前記ブックマーク情報データを保存するブックマーク情報データ記憶部および前記ブックマーク情報データをブックマーク処理するメニュープログラムを備え、前記映像表示制御装置は、ブックマーク再生にあたり、前記記憶装置から出力される映像データ，ブックマーク情報データおよびメニュープログラムを呼び込み、ブックマーク処理された映像が再生されるようにしたことを特徴とする映像再生装置を提供する。
【発明の効果】
【００２１】
本発明によれば、映像再生装置による再生映像のブックマーク再生時に、ブックマーク保存時と同じ状態、すなわち拡大表示の状態から再生可能とすることにより、ユーザに対して一層便利ならしめる映像再生方法および映像再生装置を提供することができる。
【発明を実施するための最良の形態】
【００２２】
本発明の映像再生装置に係る実施形態について、図１〜図３を参照して説明する。
【００２３】
図１は、本発明の映像再生装置の全体構成を示すブロック図である。図２は、図１の記憶部に記憶されるブックマーク情報データを示す図で、（ａ）は、識別情報と固有のブックマーク情報との関係を例示し、（ｂ）は、（ａ）のＡ部で示すブックマークのパラメータ情報を例示する図である。図３は、図１の記憶部に記憶される映像データの識別情報、保存場所およびリンクする映像情報を例示する図である。
【００２４】
図１に示す映像再生装置３０は、操作部３１、映像制御手段３２および表示部３３とから構成される。
【００２５】
操作部３１は、録画された映像データａ１の再生やブックマーク（再生位置）の登録入力やブックマーク再生の入力などを行なうことができるもので、キーボード操作あるいはタッチパネルのような操作可能なものでもよいが、図示しないリモコン操作可能なリモコン操作体（以下、リモコンという。）を使用するのが取り扱い上望ましい。
【００２６】
映像制御手段３２は、映像制御装置３４、記憶装置３５、映像表示制御装置３６を備える。
【００２７】
映像制御装置３４は、再生制御部３４ａ、入力制御部３４ｂを備えている。
【００２８】
入力制御部３４ｂは、操作部３１からの各種異なるリモコン操作の種類を判別する。リモコン操作により、再生制御部３４ａが起動して映像データ呼び出し信号が映像表示制御装置３６側へ送信される。
【００２９】
また、映像制御装置３４は、操作部３１のリモコンにより、映像再生中にブックマークを選択して、記憶装置３５側に記憶させておくことができる。
【００３０】
記憶装置３５は、映像データ保存部３５ａ、メニュープログラム３５ｂおよびブックマーク情報保存部３５ｃを備える。
【００３１】
映像データ保存部３５ａには、録画された映像データａ１が記憶されている。
【００３２】
また、映像データａ１は、具体的には、映像ごと(映像１、映像２、…)に識別情報（ＩＤ１、ＩＤ２、…)をもっており、映像とは別に識別情報テーブルがある。
【００３３】
識別情報テーブルについて、識別情報は映像ごとに付与される管理番号であり、保存場所としてはＨＤＤやディスクなど映像保存媒体の記憶領域が指定される。
【００３４】
リンクする映像情報は、再生映像が映像番組や外部機器から取り込んだものである場合は、例えば映像が保存されているフォルダへのパスであり、再生映像が市販タイトルなど書き込み不可のディスクである場合がある。市販タイトルの場合には、通常、ディスク識別情報が含まれているのでブックマーク再生が可能である。
【００３５】
メニュープログラム３５ｂは、映像データａ１やブックマーク情報データとともにＨＤＤやディスクなどの記憶装置３５へ格納されており、ブックマーク情報データを、ブックマークされた時点の映像の状態に再現すべくブックマーク処理がなされるように、ブックマーク処理の要求に応じて映像表示制御装置側に出力されるプログラムである。そして、このプログラムは、映像の再生と同時に起動して、再生映像と連携して動作するものである。また、アイコンをどの位置に配置するのか、画面上のエリア幅はどのくらいにするかなどの画面デザイン情報や、操作ツールである、例えばリモコンのユーザ操作に応じてブックマーク映像が再現されるように起動する。
【００３６】
映像データａ１は、図３に示す識別情報テーブルに付与される管理番号とリンクしたデータとして保存される。
【００３７】
ブックマーク情報データａ２は、図２（ａ）に示すように、ブックマーク情報として図１に示す記憶装置３５に保存されるもので、図２（ｂ）に示すように、例えばそのブックマーク１に、パラメータ情報として映像の再生開始位置ｘ、拡大中心位置ｙや拡大倍率ｚや画面表示デザインなど処理種別を規定するデータを含む。ここで、再生開始位置ｘは、時刻（時間）または特定の１フレーム（Frame）とすることができる。
【００３８】
このブックマーク情報データａ２は、映像の識別情報にリンクしており、図２（ａ）〜（ｂ）に示すように、各ブックマーク情報データ(ブックマーク１、ブックマーク２、…) ａ２は、少なくとも、再生開始位置としての（時刻（時間）、Frame）、拡大位置（座標：ｘ，ｙ）および拡大倍率（１〜n）を含む。
【００３９】
映像表示制御装置３６は、ＧＵＩ制御部３６ａおよび拡大制御部３６ｂを備える。
【００４０】
ＧＵＩ制御部３６ａは、映像表示制御装置３６に記憶装置３５からから出力されるメニュープログラム３５ｂを呼び込み、表示部に表示されるデフォルト画面を複数個のエリアに区分するとともに前記複数のエリアの任意の位置にアイコンを移動させて表示部に表示させる処理がなされる。
【００４１】
このアイコン移動にあたっては、記憶装置３５側から出力される映像データによるデフォルト画面上に、操作部３１のアイコン操作による入力に基づくアイコン位置ｐの指定によりなされる。拡大制御部３６ｂは、記憶装置３５側から呼び込まれる映像データａ１，ブックマーク情報データａ２およびメニュープログラム３５ｂを入力することや、画面上のアイコン位置Ｐの移動操作に応じて、表示画面を移動させたり、表示画面の一部を拡大（または縮小）することができる機能を有している。
【００４２】
表示部３３は、映像を表示するテレビジョンなどの画面であって、映像表示制御装置３６のＧＵＩ制御部３６ａおよび拡大制御部３６ｂにより、上記のよう処理された各種映像が表示される。
【００４３】
次に、映像再生装置３０の作用について、図面を参照して説明する。
【００４４】
図４は、本発明の映像再生装置による再生画面の拡大手順により（ａ）〜（ｄ）に沿って拡大される画面例を示す図である。図５は、図４（ｄ）の状態から、画面が変化する状態を示し、（ａ）は、図４（ｄ）の状態、（ｂ）は、（ａ）の状態から拡大画面中心位置を移動指定した状態、（ｃ）は、（ｂ）その移動指定に伴い映像がスクロールされた状態を示す図である。図６は、本発明の映像再生装置のデフォルト状態の画面から、任意に変化させた画面例をブックマーク保存するまでの手順を説明する図で、（ａ）は、デフォルト状態の画面例、（ｂ）は、（ａ）の状態からの拡大画面例、（ｃ）は、（ｂ）の画面になってから一定時刻（時間）が経過した状態の画面例を示す図である。図７は、図６（ｃ）のブックマーク保存された画面を含むブックマークリストの表示画面から拡大再生された画面例を説明する図で、（ａ）は、ブックマークリストのサムネイル画面例を示す図で、（ｂ）は、（ａ）の画面例の１つの拡大再生画面例を示す図である。
【００４５】
ブックマーク再生するにあたって、その前のブックマーク操作の段階について、図４および図５を参照して説明する。
【００４６】
先ず、図４（ａ）示すデフォルトサイズ映像画面表示の状態から、ブックマークをするにあたって、リモコン３１を操作して図４（ｂ）に示すように格子および拡大アイコン表示をする。次に、再びリモコン３１を操作して図４（ｃ）に示すように拡大アイコンを移動する。そして、更にリモコン３１を操作して図４（ｄ）に示すように拡大アイコン位置ｐを中心として拡大ズームを行なう。
【００４７】
また、この拡大ズームの状態、すなわち図５（ａ）示す状態（図４（ｄ）の画面と同一）から、図５（ｂ）に示すように、拡大アイコン位置ｐへ移動する。更に、リモコン３１を操作することにより、図５（ｃ）に示すように、拡大アイコン位置ｐはそのままの位置が保持された状態で、映像のみが逆方向へスクロールされる。
【００４８】
このスクロールされた状態において、例えばブックマーク保存したい場合には所定のリモコン操作をする。このリモコン操作により、スクロールされた状態の画面がブックマーク保存される。
【００４９】
上述の一連のリモコン操作による入力過程においては、図１に示す映像制御手段３２の映像表示制御装置３６は、記憶装置３５側からメニュープログラム３５ｂを呼び込み、例えば絶えず演算処理がなされつつユーザによるブックマーク再生指示があるまで待機している状態になっている。
【００５０】
そして、ブックマーク再生指示があると、ブックマーク状態の映像が即座に再生表示される。
【００５１】
次に、上述したデフォルト映像に対するブックマーク操作からブックマーク再生までのフローを図８〜図１１を参照して具体的に説明する。
【００５２】
［ブックマーク操作］
ブックマーク操作について、図６，図８および図９を参照して具体的に説明する。
【００５３】
図８は、映像再生方法の映像拡大操作ステップを示すフロー図である。図９は、映像再生方法を実施するブックマーク保存操作ステップを示すフロー図である。
【００５４】
先ず、図８に示す映像拡大操作ステップ（Ｓ１〜Ｓ６）を示すフローに従って説明する。
【００５５】
図６（ａ）に示すように、デフォルトサイズ映像画面に表示された、例えば「雪だるま」映像をリモコン操作により指定して、ズーム用ボタンを押し下げる（Ｓ１）。
【００５６】
すると、デフォルト映像画面格子および拡大アイコン表示がなされる（Ｓ２）。
【００５７】
このデフォルト映像画面格子は、デフォルト映像画面全体のエリアを予め設定された複数の区分エリアに仕切るように、例えば破線状の格子ｋが重ねて表示される。拡大アイコンについては、その拡大中心位置Ｐにて表示される。この拡大中心位置Ｐは、拡大アイコンを操作して全体エリアの任意の格子交点位置に移動可能であって、拡大・縮小映像がその映像中心位置（拡大・縮小中心位置）にて拡大・縮小されて表示されることを示す。
【００５８】
なお、（Ｓ２）のステップで、格子ｋのそれぞれの格子交点位置をエリア単位として取り扱っているが、必ずしも格子交点位置としないで、例えば単位エリアの中心位置であってもよい。
【００５９】
ここで、上下左右ボタンの操作することで任意に移動可能である拡大アイコンを、例えば図４（ｂ）→図４（ｃ）に示すように、左へ１格子交点分シフト（移動）させることができる（Ｓ３）。
【００６０】
次に、拡大アイコンが所望の位置に移動したことにより、リモコンの決定ボタンを操作する（Ｓ４）。
【００６１】
すると、図４（ｄ）に示すように、拡大アイコン位置ｐを画面中心位置とした２倍の映像ズームアップ（拡大）の再生を開始する。このズームアップした映像は、ズームアップするため決定ボタンを操作するにあたって、例えば押した回数に対応して画面拡大率のズームアップ映像が得られる（Ｓ５）。
【００６２】
そして、ステップ（Ｓ２）で画面表示された格子ｋおよび拡大アイコンが、所定の時間、例えば数秒後に自動消去する（Ｓ６）。
【００６３】
以上のステップ（Ｓ１）〜ステップ（Ｓ６）を踏むことにより、任意の拡大映像を得る一連の操作を完了することができる。
【００６４】
なお、上述したステップ（Ｓ４）において、拡大アイコン位置ｐを画面の範囲外に移動させることができる。この場合について図４および図５を参照して説明する。
【００６５】
例えば図４（ｄ）に示す映像ズームの状態、すなわち図５（ａ）の状態から、図５（ｃ）に示すように、拡大アイコンを右側へ格子３個分移動したとすると、図５（ｂ）では画面へ表示されていなかったエリアの映像が左側へ格子１個分スクロールされて表示される。
【００６６】
そして、任意に拡大された映像や、更にはこの映像が任意位置にスクロールされた映像から、格子および拡大アイコンが消去された映像が表示される図８のステップ（Ｓ６）から、図９に示すように、ブックマーク操作ステップ（Ｓ１１〜Ｓ１２）を踏む。
【００６７】
すなわち、映像拡大操作を行う（Ｓ１１）。
【００６８】
ブックマークを指定する操作ボタンを操作する（Ｓ１２）。
【００６９】
続いて、メニュー終了ボタン（本発明の必要条件ではない）を操作することにより終了する。なお、終了していない場合には、ステップ（Ｓ１１）へ戻る。
【００７０】
なお、映像拡大操作のステップ（Ｓ１１）で、再度ズームアップする場合には、拡大リモコン操作を受け付けた場合には再表示される。また、もう一度特定ボタンを操作するか、例えばそのままの状態で一定時間経過後には拡大ズームアップのモードが解除され、デフォルトサイズの表示に復帰させるようにすることも可能である。
【００７１】
［ブックマーク登録］
次に、ブックマーク登録について図１０を参照して具体的に説明する。
【００７２】
図１０は、図９の操作により、映像再生装置のブックマーク情報データの入力に伴うメニュープログラム３５ｂの動作フローの説明図である。
【００７３】
図１に示すメニュープログラム３５ｂは、図１０に示すステップ（Ｓ２１〜Ｓ２７）のフローで動作する。最初に、映像再生およびメニュープログラムを起動する（Ｓ２１）。
【００７４】
次に、映像に対して拡大位置、拡大サイズを指定する（Ｓ２２）。
【００７５】
ブックマーク保存に割り当てたリモコンの特定ボタンを操作する（Ｓ２３）。
【００７６】
入力制御によりメニュープログラムを動作させる（Ｓ２４）。
【００７７】
識別情報テーブルから再生映像に該当する識別情報を検索する（Ｓ２５）。
【００７８】
識別情報がない場合、メニュープログラムにより識別情報テーブルへ識別情報を追加する（Ｓ２６）。
【００７９】
そして、メニュープログラムにより再生位置などブックマーク情報データａ２を保存する（Ｓ２７）。
【００８０】
なお、ステップ（Ｓ２５）で、識別情報がある場合には、ステップ（Ｓ２７）へ入る。
【００８１】
以上のステップを踏むことにより、ブックマーク情報データａ２の登録が完了する。
【００８２】
［ブックマーク再生］
ブックマーク再生について、図１１を参照して具体的に説明する。
【００８３】
図１１は、映像再生方法のブックマーク再生までの作動ステップ（Ｓ３１〜Ｓ４０）を示すフロー図である。
【００８４】
図１１に示すように、最初に映像再生およびメニュープログラムを起動する（Ｓ３１）。なお、この起動は、映像再生中にあってブックマークリスト表示に割り当てたリモコンの特定ボタンを操作した場合に、映像制御装置３４の入力制御より記憶装置３５のメニュープログラムへ入力処理される。
【００８５】
リモコンのブックマークリスト表示に割り当てた特定ボタンを操作する（Ｓ３２）。
【００８６】
このボタンを押すことにより、映像の識別情報にリンクしたブックマーク情報データを読み込むように、メニュープログラムを動作させる（Ｓ３３）。
【００８７】
メニュープログラム３５ｂにより、図３に示す識別情報テーブルから再生映像に該当する識別情報を検索する（Ｓ３４）。
【００８８】
識別情報がある場合、メニュープログラムにより映像にリンクしたブックマーク情報データａ２のリストを読み込む（Ｓ３５）。
【００８９】
続いて、その読み込んだブックマークリストを表示（図７（ａ）参照）させる（Ｓ３６）。
【００９０】
そして、リモコン操作により、ブックマークリストから、例えば「雪だるま」を選択する（Ｓ３７）。
【００９１】
この選択によりメニュープログラムを起動させる（Ｓ３８）。
【００９２】
これにより、メニュープログラムの起動により選択されたブックマーク情報データａ２を読み込む（Ｓ３９）。
【００９３】
そして、この読み込まれたブックマーク情報データａ２が、リモコン操作（決定ボタン操作）することにより、図７（ｂ）に示すように、拡大ズーム映像ブックマーク再生された状態で、再生を開始する（Ｓ４０）。
【００９４】
以上のステップ（Ｓ３１）〜（Ｓ４０）を踏むことにより、ブックマーク情報データａ２の再生をすることができる。
【００９５】
なお、本発明の映像再生方法および映像再生装置によれば、図４および図５で示したような文字映像や、図６で示したように、雪だるま映像に限らず絵柄・図柄状の映像であってもよい。具体的には、図６（ａ）に示すように、画面全体のエリアを１６個に格子ｋで区分し、画面上左下の格子交点にアイコンを位置させることにより、図６（ｂ）に示すように、この拡大アイコン位置ｐを中心として２倍の映像、すなわち、画面いっぱいの映像に拡大することができる。図６（ｃ）は、例えばその数秒後に格子ｋとアイコン表示が解除された状態となる。
【００９６】
そして、この状態で、ブックマーク登録することができる。
【００９７】
また、ブックマーク情報データａ２に拡大倍率データを保存して再生する際に、図７（ａ）に示すように、サムネイル画像のリストから再生するようにしたが、これにかぎらず、ブックマーク情報データａ２をリスト状にして画面に表示して選択させてもよい。
【００９８】
上述したように、本発明の実施形態による映像再生方法によれば、映像再生装置による再生映像のブックマーク再生時に、ブックマーク保存時と同じ状態、すなわち次回から自分の好みの位置、倍率（拡大あるいは縮小）で再生開始が可能となることから、ユーザにとって一層便利ならしめる映像再生方法および映像再生装置を提供することができる。
【００９９】
なお、本発明の映像再生方法および映像再生装置については、映像の拡大再生にあたっては、自ら録画した媒体のブックマーク再生に限らず、市販の映像媒体の再生にあたっても本発明によるブックマーク再生することが可能である。
【図面の簡単な説明】
【０１００】
【図１】本発明に係る映像再生装置の一実施形態の全体構成を示すブロック図。
【図２】図１の記憶部に記憶されるブックマーク情報データを示す図で、（ａ）は、識別情報と固有のブックマーク情報との関係を例示し、（ｂ）は、（ａ）のＡ部で示すブックマークのパラメータ情報を例示する図。
【図３】図１の記憶部に記憶される映像データの識別情報、保存場所およびリンクする映像情報を例示する図。
【図４】本発明に係る映像再生装置の一実施形態による再生画面の拡大手順により（ａ）〜（ｄ）に沿って拡大される画面例を示す図。
【図５】図４（ｄ）の状態から、画面が変化する状態を示し、（ａ）は、図４（ｄ）の状態、（ｂ）は、（ａ）の状態から拡大画面中心位置を移動指定した状態、（ｃ）は、（ｂ）その移動指定に伴い映像がスクロールされた状態を示す図。
【図６】本発明に係る映像再生装置の一実施形態におけるデフォルト状態の画面から、任意に変化させた画面例をブックマーク保存するまでの手順を説明する図で、（ａ）は、デフォルト状態の画面例、（ｂ）は、（ａ）の状態からの拡大画面例、（ｃ）は、（ｂ）の画面になってから一定時間が経過した状態の画面例を示す図。
【図７】図６（ｃ）のブックマーク保存された画面を含むブックマークリスト表示画面から拡大再生された画面例を説明する図で、（ａ）は、ブックマークリストのサムネイル画面例、（ｂ）は、（ａ）の画面例の１つの拡大再生画面例を示す図。
【図８】本発明に係る映像再生装置の一実施形態における映像拡大操作ステップを示すフロー図。
【図９】本発明に係る映像再生装置の一実施形態におけるブックマーク操作ステップを示すフロー図。
【図１０】図９の操作により、映像再生装置のブックマーク情報データの入力に伴うメニュープログラムの動作フローの説明図。
【図１１】本発明に係る映像再生装置の一実施形態におけるブックマーク再生までの作動ステップを示すフロー図。
【図１２】従来の映像再生装置の実施形態を示すブロック図。
【図１３】図１２に示すＴＶモニタの画面例を示す図。
【符号の説明】
【０１０１】
３０  映像再生装置
３１  操作部（リモコン）
３２  映像制御手段
３３  表示部
３４  映像制御装置
３４ａ  再生制御部
３４ｂ  入力制御部  
３５  記憶装置
３５ａ  映像データ保存部
３５ｂ  メニュープログラム
３５ｃ  ブックマーク情報保存部
３６  映像表示制御装置
３６ａ  ＧＵＩ制御部
３６ｂ  拡大制御部
ａ１  映像データ
ａ２  ブックマーク情報データ
ｐ  アイコン（拡大アイコン）位置
ｋ  格子
【図１】
2009290338.tif 000003
【図２】
2009290338.tif 000004
【図３】
2009290338.tif 000005
【図４】
2009290338.tif 000006
【図５】
2009290338.tif 000007
【図６】
2009290338.tif 000008
【図７】
2009290338.tif 000009
【図８】
2009290338.tif 000010
【図９】
2009290338.tif 000011
【図１０】
2009290338.tif 000012
【図１１】
2009290338.tif 000013
【図１２】
2009290338.tif 000014
【図１３】
2009290338.tif 000015